(57)【特許請求の範囲】
【請求項１】
清掃用シートを装着可能な清掃用具であって、
(a) 清掃面に前記清掃用シートを取り付ける取付部と、
(b) 前記取付部と接続された柄部と、
を備え、
前記清掃用シートは、少なくとも前記取付部の清掃面側を覆うように取り付けられており、
前記取付部は、
(a-1) 清掃面側に形成された第１主面を有するとともに、硬質樹脂により形成された板状の基部と、
(a-2) 少なくとも前記基部の周囲の側面を覆うように配置されており、軟質樹脂により形成された囲繞部と、
を有するとともに、
前記柄部は、前記基部の主面のうち、前記第１主面と逆側の面と接続されており、
前記取付部に含まれる前記基部および前記囲繞部のそれぞれは、少なくとも前記清掃面の長手方向に沿って湾曲可能とされていることを特徴とする清掃用具。
【請求項２】
請求項１に記載の清掃用具において、
前記囲繞部は、二次成形を用いることによって、少なくとも前記基部の周囲に形成されることを特徴とする清掃用具。
【請求項３】
請求項２に記載の清掃用具において、
前記囲繞部は、前記基部の前記第１主面と、前記基部の周囲と、を覆うように形成されていることを特徴とする清掃用具。
【請求項４】
請求項１から請求項３のいずれかに記載の清掃用具において、
前記取付部は、
(a-3) 前記基部を挟んで、前記柄部の逆側に配置されており、少なくとも前記囲繞部と接するように設けられた接触部、
をさらに備え、
前記清掃用シートは、前記接触部の主面のうち、清掃面側に形成された前記接触部の第２主面を覆うように、前記取付部に取り付けられることを特徴とする清掃用具。
【請求項５】
請求項４に記載の清掃用具において、
前記接触部は、発泡プラスチックにより形成されていることを特徴とする清掃用具。
【請求項６】
請求項１から請求項５のいずれに記載の清掃用具において、
前記取付部は、
(a-4) 各々が、一又は複数の突起部を有するとともに、前記基部に対して回動することによって、前記取付部に対して前記清掃用シートを固定する複数の固定部、
をさらに備え、
前記一又は複数の突起部は、前記基部に設けられた対応する取付孔に挿入可能とされており、
各固定部の回動動作に従い、前記清掃用シートが各突起部とともに対応する取付孔に挿入されることによって、前記清掃用シートが前記取付部に取り付けられることを特徴とする清掃用具。
【発明の詳細な説明】
【技術分野】
【０００１】
本発明は、清掃用具に関する。
【背景技術】
【０００２】
従来、厚手の払拭体を装着可能なモップが知られている（例えば、特許文献１）。
【先行技術文献】
【特許文献】
【０００３】
【特許文献１】実用新案登録第３２１７１８６号公報
【発明の概要】
【発明が解決しようとする課題】
【０００４】
ここで、特許文献１のモップでは、持ち柄の傾き角度を調節してヘッドの姿勢を変更することによって、洗浄面（例えば、自動車の車体表面）の傾きに追従させている。しかし洗浄面が湾曲面を有する場合、ヘッドの姿勢変更だけでは、良好な清掃を実現できない。
【０００５】
そこで、本発明では、清掃対象が湾曲面を有する物であっても、良好な清掃を実現できる清掃用具を提供することを目的とする。
【課題を解決するための手段】
【０００６】
上記課題を解決するため、請求項１の発明は、清掃用シートを装着可能な清掃用具であって、清掃面に前記清掃用シートを取り付ける取付部と、前記取付部と接続された柄部と、を備え、前記清掃用シートは、少なくとも前記取付部の清掃面側を覆うように取り付けられており、前記取付部は、清掃面側に形成された第１主面を有するとともに、硬質樹脂により形成された板状の基部と、少なくとも前記基部の周囲の側面を覆うように配置されており、軟質樹脂により形成された囲繞部と、を有するとともに、前記柄部は、前記基部の主面のうち、前記第１主面と逆側の面と接続されており、前記取付部に含まれる前記基部および前記囲繞部のそれぞれは、少なくとも前記清掃面の長手方向に沿って湾曲可能とされていることを特徴とする。
【０００７】
また、請求項２の発明は、請求項１に記載の清掃用具において、前記囲繞部は、二次成形を用いることによって、少なくとも前記基部の周囲に形成されることを特徴とする。
【０００８】
また、請求項３の発明は、請求項２に記載の清掃用具において、前記囲繞部は、前記基部の前記第１主面と、前記基部の周囲と、を覆うように形成されていることを特徴とする。
【０００９】
また、請求項４の発明は、請求項１から請求項３のいずれかに記載の清掃用具において、前記取付部は、前記基部を挟んで、前記柄部の逆側に配置されており、少なくとも前記囲繞部と接するように設けられた接触部、をさらに備え、前記清掃用シートは、前記接触部の主面のうち、清掃面側に形成された前記接触部の第２主面を覆うように、前記取付部に取り付けられることを特徴とする。
【００１０】
また、請求項５の発明は、請求項４に記載の清掃用具において、前記接触部は、発泡プラスチックにより形成されていることを特徴とする。
【００１１】
また、請求項６の発明は、請求項１から請求項５のいずれに記載の清掃用具において、前記取付部は、各々が、一又は複数の突起部を有するとともに、前記基部に対して回動することによって、前記取付部に対して前記清掃用シートを固定する複数の固定部、をさらに備え、前記一又は複数の突起部は、前記基部に設けられた対応する取付孔に挿入可能とされており、各固定部の回動動作に従い、前記清掃用シートが各突起部とともに対応する取付孔に挿入されることによって、前記清掃用シートが前記取付部に取り付けられることを特徴とする。
【発明の効果】
【００１２】
請求項１から請求項６に記載の発明において、取付部は、少なくとも清掃面の長手方向に沿って湾曲可能とされている。これにより、清掃対象が湾曲面を有する物であっても、清掃対象に対して清掃面を良好に追従させることができる。そのため、清掃対象を良好に清掃することができる。
【００１３】
特に、請求項６に記載の発明では、清掃用シートの一部は、各突起部とともに対応する取付穴に挿入させられる。そのため、取付部に対して清掃用シートを容易に取り付けることができる。
【図面の簡単な説明】
【００１４】
【図１】本発明の第１の形態における清掃用具の全体構成を示す縮小斜視図である（固定部：全閉鎖時）。
【図２】本発明の第１の形態における清掃用具の使用状態を示す斜視図である（固定部：一方開放時）。
【図３】洗浄用シートを取り付けた状態における取付部付近の平面図である。
【図４】洗浄用シートを取り付けた状態における取付部付近の底面図である。
【図５】本発明の第１の形態における清掃用具の正面図である（固定部：全閉鎖時）。
【図６】本発明の第１の形態における清掃用具の左側面図である（固定部：全閉鎖時）。
【図７】本発明の第１の形態における清掃用具の平面図である（固定部：全閉鎖時）。
【図８】本発明の第１の形態における清掃用具の底面図である（固定部：全閉鎖時）。
【図９】図５におけるＡ−Ａ部分の拡大図である。
【図１０】図７のＢ−Ｂ線におけるＡ−Ａ部分の拡大断面図である。
【図１１】本発明の第１の形態における清掃用具の正面図である（固定部：一方開放時）。
【図１２】本発明の第１の形態における清掃用具の背面図である（固定部：一方開放時）。
【図１３】本発明の第１の形態における清掃用具の左側面図である（固定部：一方開放時）。
【図１４】本発明の第１の形態における清掃用具の右側面図である（固定部：一方開放時）。
【図１５】本発明の第１の形態における清掃用具の平面図である（固定部：一方開放時）。
【図１６】本発明の第１の形態における清掃用具の底面図である（固定部：一方開放時）。
【図１７】本発明の第１の形態における清掃用具の使用状態を示す斜視図である（湾曲時）。
【図１８】本発明の第２の形態における清掃用具の構成の一例を示す拡大断面図である。
【図１９】本発明の形態における清掃用具の構成の他の例を示す拡大断面図である。
【発明を実施するための形態】
【００１５】
以下、図面を参照しつつ本発明の実施の形態について詳細に説明する。
【００１６】
＜１．第１の実施の形態＞
＜１．１．清掃用具の全体構成＞
図１および図２のそれぞれは、第１の形態における清掃用具１の全体構成を示す斜視図である。また、図３および図４は、それぞれ取付部２０に清掃用シート１０を取り付けた状態を示す平面図および底面図である。
【００１７】
図１および図２に示すように、清掃用具１は、主として、取付部２０と、柄部８０と、を備える。ここで、清掃用具１は、図３および図４に示すように、取付部２０に対して清掃用シート１０を巻き付けた状態で装着可能とされている。すなわち、清掃用シート１０は、少なくとも取付部２０の清掃面２０ａ側を覆うように取り付けられている。
【００１８】
なお、図１および以降の各図には、図面に記載された各構成要素の理解を助けるため、必要に応じて適宜、Ｚ軸方向を鉛直方向とし、ＸＹ平面を水平面とするＸＹＺ直交座標系が、付されている。
【００１９】
取付部２０は、清掃面２０ａの長手方向ＡＲ１（図１および図２参照：Ｘ軸と平行な方向）に沿って湾曲可能とされている。また、図３および図４に示すように、取付部２０の清掃面２０ａには、清掃用シート１０が取付可能とされている。なお、取付部２０の詳細な構成については、後述する。
【００２０】
柄部８０は、清掃時において清掃用具１の使用者（以下、単に、「使用者」と称する）の持ち手となる部分である。図１および図２に示すように、柄部８０は、取付部２０と接続されており、主として、延伸部８１と、把持部８３と、回動部８５と、を有している。
【００２１】
延伸部８１は、一方向に延伸する棒体である。図１および図２に示すように、延伸部８１の一端には、使用者の手で握られる把持部８３が、延伸部８１の他端には回動部８５が、それぞれ設けられている。ここで、延伸部８１は、伸縮自在に設けられても良い。
【００２２】
回動部８５は、取付部２０に対して延伸部８１を回動させる。図１および図２に示すように、回動部８５は、取付部２０上に設けられており、主として、揺動部８６を有している。
【００２３】
揺動部８６は、取付部２０に対して、第１回動軸８５ａを中心に揺動可能とされている。また、揺動部８６には、自身（揺動部８６自身）と交差する第２回動軸８５ｂが設けられており、延伸部８１は、揺動部８６に対して第２回動軸８５ｂを中心に回動可能とされている。
【００２４】
そのため、取付部２０の清掃面２０ａが、清掃対象（例えば、自動車のボディやフロントガラスのように、湾曲面を有するもの）に接触させられた状態で、使用者が柄部８０から適切な荷重を付加すると、取付部２０が、所望の姿勢となるように、回動させられる。
【００２５】
＜１．２．取付部の構成構成＞
図５から図８は、それぞれ各固定部６０（６０ａ、６０ｂ）を閉鎖した状態の正面図、左側面図、平面図、および底面図である。また、図９は、図５におけるＡ−Ａ部分の拡大図である。図１０は、図７のＢ−Ｂ線におけるＡ−Ａ部分の拡大断面図である。さらに、図１１から図１６は、それぞれ固定部６０ａを開放した状態の正面図、背面図、左側面図、右側面図、平面図、および底面図である。例えば、図５に示すように、取付部２０は、主として、基部３０と、囲繞部４０と、接触部５０と、複数の固定部６０（６０ａ、６０ｂ）と、を備える。
【００２６】
なお、柄部８０における延伸部８１の中間部分の形状は、図１および図２に示すように、連続して同一となる。そのため、延伸部８１のうち一点鎖線で挟まれた部分については、図示を省略する。また、図５、図６、および図１１から図１５のそれぞれにおける省略部分の寸法は１３ｃｍである。
【００２７】
基部３０は、硬質樹脂により形成された板状体である。例えば、基部３０の主面３０ａ上には、図１に示すように、柄部８０の回動部８５、および複数の固定部６０（６０ａ、６０ｂ）が設けられている。
【００２８】
また、図２に示すように、基部３０に形成された各嵌合孔３２には、弾性体により形成された挿入部３３が嵌め込まれており、各挿入部３３には、複数（本実施の形態では、２つ）の取付孔３５が形成されている。また、図１０に示すように、各取付孔３５からは、複数（本実施の形態では６つ）のスリット３６が放射状に延びる。
【００２９】
ここで、本実施の形態の基部３０を形成する硬質樹脂としては、合成樹脂（プラスチック）、より具体的には、ポリカーボネイト、ポリエチレン、ポリプロピレン、ポリアセタール、ＡＢＳ樹脂のいずれが用いられても良い。
【００３０】
また、本実施の形態の挿入部３３を形成する材料としては、熱可塑性エラストマー（ＴＰＥ）および熱硬化性エラストマー（ゴム）のいずれが用いられても良い。より具体的には、熱可塑性エラストマーとしては、オレフィン系熱可塑性エラストマー（ＴＰＯ）、スチレン系熱可塑性エラストマー（ＴＰＳ）、ポリウレタン系熱可塑性エラストマー（ＴＰＵ）、およびポリエステル系熱可塑性エラストマー（ＴＰＣ）のいずれが用いられても良い。また、熱硬化性エラストマーとしては、ブタジエンゴム、スチレン・ブタジエンゴム、クロロプレンゴム、アクリルゴム、ウレタンゴム、およびシリコーンゴムのいずれが用いられても良い。
【００３１】
さらに、本実施に形態において「主面」とは、板状体の外面を形成する複数の平面のうち、他と比較して面積の広い面を言う。したがって、基部３０は、図１０に示すように、２つの主面、すなわち、柄部８０の回動部８５側に形成された主面３０ａと、清掃面２０ａ側に形成された主面３１（第１主面）と、を有する。また、これら主面３０ａ、３１のそれぞれは、図１０に示すように、ＸＹ平面と平行な位置関係になる。
【００３２】
囲繞部４０は、基部３０とは異なった材料（軟質樹脂）により形成されている。例えば図７および図１０に示すように、囲繞部４０は、基部３０の周囲に配置されている。すなわち、囲繞部４０は、基部３０の主面３１側および清掃面２０ａ側のそれぞれが開口する筒状体としての形態を有する。
【００３３】
ここで、本実施の形態の囲繞部４０を形成する軟質樹脂としては、熱可塑性エラストマー（ＴＰＥ）、より具体的には、オレフィン系熱可塑性エラストマー（ＴＰＯ）、スチレン系熱可塑性エラストマー（ＴＰＳ）、ポリウレタン系熱可塑性エラストマー（ＴＰＵ）、およびポリエステル系熱可塑性エラストマー（ＴＰＣ）のいずれが用いられても良い。
【００３４】
また、本実施の形態の囲繞部４０は、基部３０が成形された後、インサート成形により作成されても良い。また、基部３０および囲繞部４０が、１つの二色成形機を用いて一連の処理により作成されても良い。さらに、各々が別工程で作成された基部３０および囲繞部４０を、接着により一体的に構成しても良い。
【００３５】
接触部５０は、発泡プラスチックにより形成されたブロック状の緩衝材であり、囲繞部４０に嵌め込むように設けられている。図１０に示すように、接触部５０には、基部３０の取付孔３５と連通する貫通孔５５が、形成されている。
【００３６】
また、清掃用シート１０が取付部２０に取り付けられる場合、接触部５０の主面５２、５３のうち、清掃面２０ａ側に形成された主面５２（第２主面）が、清掃用シート１０により覆われる。また、接触部５０の主面５２、５３のうち、主面５２と逆側に形成された主面５３（第３主面）は、基部３０の主面３１（第１主面）と対向する。さらに、接触部５０の側面５４は、囲繞部４０の内周面４１と対向する。
【００３７】
ここで、本実施の形態の接触部５０を形成する発泡プラスチックとしては、軟質ポリウレタンフォーム、ポリプロピレンフォーム、およびポリエチレンフォームのいずれが用いられても良い。
【００３８】
複数の固定部６０（６０ａ、６０ｂ）は、取付部２０（より具体的には、基部３０）に対して清掃用シート１０を固定する。例えば、図２および図１０に示すように、各固定部６０（６０ａ、６０ｂ）は、複数（本実施の形態では２つ）の突起部６５を有する。
【００３９】
また、例えば、図１および図２に示すように、各固定部６０（６０ａ、６０ｂ）は、対応する回動軸６１を中心に基部３０に対して回動可能とされている。さらに、図１０に示すように、各突起部６５は、基部３０に設けられた挿入部３３（より具体的には、挿入部３３に形成された対応の取付孔３５）に挿入可能とされている。
【００４０】
これにより、各固定部６０（６０ａ、６０ｂ）の回動動作に従って、対応する突起部６５の頭部６６は、挿入部３３の取付孔３５挿入される。このとき、清掃用シート１０が、各突起部６５とともに対応する取付孔３５に挿入されるとともに、取付孔３５が、押し広げられる。
【００４１】
各固定部６０（６０ａ、６０ｂ）がさらに回動させられ、各固定部６０（６０ａ、６０ｂ）が閉鎖されると、各突起部６５の頭部６６は、接触部５０の貫通孔５５に到達すると、取付孔３５には、頭部６６よりも直径の小さな柱状部６７が挿入される。そして、清掃用シート１０の引出部１０ａ（一部）が、対応する突起部６５の柱状部６７および挿入部３３の間に挟み込まれる。そのため、清掃用シート１０は、取付部２０に対して、容易に取り付けられる。
【００４２】
これに対して、各固定部６０（６０ａ、６０ｂ）が回動させられて、各固定部６０（６０ａ、６０ｂ）が開放されると、各突起部６５の頭部６６および柱状部６７は、対応する挿入部３３の取付孔３５から離隔する。
【００４３】
その結果、清掃用シート１０は取付部２０から取り外し可能な状態となる。すなわち、取付部２０から清掃用シート１０を取り外す作業も、取付作業と同様に、容易に実行できる。
【００４４】
＜１．３．第１の実施の形態における清掃用具の利点＞
以上のように、第１の実施の形態における清掃用具１において、取付部２０は、清掃面２０ａの長手方向ＡＲ１に沿って湾曲可能とされている。これにより、清掃対象が湾曲面を有する物であっても、清掃対象に対して清掃面２０ａを良好に追従させることができる。そのため、清掃対象を良好に清掃することができる。
【００４５】
また、各固定部６０（６０ａ、６０ｂ）の回動動作に従って、清掃用シート１０の引出部１０ａ（図４参照）は、各突起部６５とともに、対応する取付孔３５に挿入させられる。これにより、清掃用シート１０の引出部１０ａが、対応する突起部６５および挿入部３３の間に挟み込まれる。そのため、取付部２０に対して清掃用シート１０を容易に取り付けることができる。
【００４６】
さらに、取付部２０は、複数の固定部６０（６０ａ、６０ｂ）のような清掃用シート１０の取付機構を有している。そのため、薄手（例えば、不織布製）の清掃用シート、および厚手（例えば、編地製）の清掃用シートのいずれであっても、取付部２０に容易に取り付けられる。
【００４７】
＜２．第２の実施の形態＞
次に、第２の実施の形態について説明する。第１および第２の実施の形態の清掃用具１、１００は、対応する取付部２０、１２０の構成が異なる点を除いては、同様な構成を有する。そこで、以下では、この相違点を中心に説明する。
【００４８】
なお、清掃用具１、１００で同様な構成要素には、同一符号が付されており、この同一符号が付された構成要素は、第１の実施の形態で説明済みである。そのため、本実施の形態では説明を省略する。
【００４９】
＜２．１．取付部の構成構成＞
図１８は、第２形態における清掃用具１００の構成の一例を示す拡大断面図であり、図１０に対応するものである。ここで、取付部１２０は、第１の実施の形態の取付部２０と同様に、清掃面２０ａの長手方向ＡＲ１に沿って湾曲可能とされている。
【００５０】
図１８に示すように、清掃用具１００の取付部１２０は、主として、基部３０と、囲繞部１４０と、複数の固定部６０（６０ａ、６０ｂ）と、を有する。
【００５１】
囲繞部１４０は、第１の実施の形態の囲繞部４０と同様な材料（軟質樹脂）により形成されている。図１８に示すように、囲繞部１４０は、基部３０の主面３１（第１主面）と、基部３０の周囲と、を覆うように形成されている。
【００５２】
また、囲繞部１４０の内周面１４１は、接触部５０の主面５３（第３主面）と、接触部５０の側面５４と、のそれぞれと対向する。すなわち、囲繞部１４０は、清掃面２０ａ側が開口する箱状体としての形態を有する。さらに、囲繞部１４０には、基部３０の取付孔３５と、接触部５０の貫通孔５５と、を連通させる貫通孔１４５が、形成されている。
【００５３】
＜２．２．第２の実施の形態における清掃用具の利点＞
以上のように、第２の実施の形態における清掃用具１００の取付部１２０は、第１の実施の形態の取付部２０と同様に、清掃面２０ａの長手方向ＡＲ１に沿って湾曲可能とされている。これにより、清掃対象が湾曲面を有する物であっても、清掃対象に対して清掃面２０ａを良好に追従させることができる。そのため、清掃対象を良好に清掃することができる。
【００５４】
ここで、第１の実施の形態の囲繞部４０は、基部３０の周囲に配置（図１０参照）されているが、第２の実施の形態の囲繞部１４０は、基部３０の周囲と、基部３０の主面３１（第１主面）と、を覆うように設けられている（図１８）。また、清掃用具１、１００は、いずれも同様な機能（清掃対象に対して清掃面２０ａを良好に追従させること）を発揮することができる。そのため、囲繞部は、少なくとも基部の周囲に配置されていれば十分である。
【００５５】
また、第１の実施の形態において、接触部５０は、図１０に示すように、基部３０および囲繞部４０のそれぞれと接している。これに対して、第２の実施の形態において、接触部５０は、図１８に示すように、囲繞部１４０と接している。また、上述のように、清掃用具１、１００は、いずれも同様な機能を発揮することができる。そのため、接触部５０は、基部３０の主面３１（第１主面）を挟んで、清掃面２０ａ側に配置されており、少なくとも囲繞部と接していれば十分である。
【００５６】
＜３．変形例＞
以上、本発明の実施の形態について説明してきたが、本発明は上記実施の形態に限定されるものではなく様々な変形が可能である。
【００５７】
（１）第１および第２の実施の形態において、取付部２０、１２０は、清掃面２０ａの長手方向ＡＲ１に沿って湾曲可能とされているものとして説明したが、これに限定されるものでない。例えば、取付部２０、１２０は、挿入部３３の延伸方向（Ｙ軸と平行な方向）に沿って湾曲可能とされても良い。すなわち、取付部２０、１２０は、少なくとも清掃面２０ａ、１２０ａの長手方向ＡＲ１に沿って湾曲可能とされていれば十分である。
【００５８】
（２）また、第１の実施の形態において、取付部２０は、例えば、図１０に示すように、基部３０と、囲繞部４０と、接触部５０と、複数の固定部６０（６０ａ、６０ｂ）と、を備えるものとして説明したが、これに限定されるものでない。
【００５９】
また同様に、第２の実施の形態において、取付部１２０は、例えば、図１８に示すように、基部３０と、囲繞部１４０と、接触部５０と、複数の固定部６０（６０ａ、６０ｂ）と、を備えるものとして説明したが、これに限定されるものでない。
【００６０】
図１９は、本発明の実施の形態における清掃用具の構成の他の例（清掃用具２００）を示す拡大断面図であり、図１０に対応するものである。図１９に示すように、清掃用具２００の取付部２２０は、主として、基部３０と、囲繞部２４０と、複数の固定部６０（６０ａ、６０ｂ）と、を有する。
【００６１】
囲繞部２４０は、第１の実施の形態の囲繞部４０と同様な材料（軟質樹脂）により形成されている。図１９に示すように、囲繞部２４０は、基部３０の主面３１（第１主面）と、基部３０の周囲と、を覆うように形成されている。
【００６２】
また、清掃用シート１０が取付部２２０に取り付けられると、囲繞部２４０の主面２４２、２４３のうち、清掃面２２０ａ側に形成された主面２４２が、清掃用シート１０により覆われる。
【００６３】
この場合、取付部２２０が、清掃面２２０ａの長手方向ＡＲ１に沿って湾曲可能とされるように、基部３０の厚さ（板厚）、並びに基部３０および取付部２２０の材料が設定されていれば、取付部２２０は、清掃対象に対して清掃面２２０ａを良好に追従させることができる。そのため、清掃対象を良好に清掃することができる。すなわち、清掃用具の取付部は、少なくとも基部と、囲繞部と、複数の固定部と、を備えれば、清掃用具の機能を発揮することができる。
【００６４】
ただし、清掃用具２００の構成は、第１の実施の形態で採用された接触部５０の存在を排除するものではない。例えば、図１９に示すように、囲繞部２４０の清掃面２２０ａ側にシート状の接触部２５０が貼付されても良い。この場合、接触部２５０は、第１の実施の形態で採用された接触部５０と同様の材料（発泡プラスチック）により形成されても良い。
【００６５】
（３）また、第１および第２の実施の形態において、取付部２０は、２つの固定部６０（６０ａ、６０ｂ）を有するものとして説明した、取付部２０に設けられる固定部の個数は、これに限定されず、３つ以上であっても良い。すなわち、取付部２０は、複数の固定部を有する。
【００６６】
（４）さらに、第１および第２の実施の形態において、各固定部６０（６０ａ、６０ｂ）は、２つの突起部６５を有するものとして説明したが、これに限定されるものでない。各固定部６０（６０ａ、６０ｂ）に設けられる突起部の個数は、１つであっても良いし、３つ以上であっても良い。すなわち、各固定部６０（６０ａ、６０ｂ）は、一又は複数の突起部を有する。
【符号の説明】
【００６７】
１、１００、２００  清掃用具
１０  清掃用シート
２０、１２０、２２０  取付部
２０ａ、２２０ａ  清掃面
３０  基部
３１  主面（第１主面）
３３  挿入部
３５  取付孔
３６  スリット
４０、１４０、２４０  囲繞部
４１、１４１  内周面
５０  接触部
５２  主面（第２主面）
５３  主面（第３主面）
５４  側面
５５  貫通孔
６０（６０ａ、６０ｂ）  複数の固定部
６５  一又は複数の突起部
８０  柄部
１４５、２４５  貫通孔
ＡＲ１  長手方向
【要約】
【課題】清掃対象が湾曲面を有する物であっても、良好な清掃を実現できる清掃用具を提供する。
【解決手段】取付部２０は、清掃面２０ａの長手方向ＡＲ１に沿って湾曲可能とされている。取付部２０の清掃面２０ａには、清掃用シートが取付可能とされている。取付部２０は、主として、基部３０と、囲繞部４０と、接触部５０と、複数の固定部６０と、を備える。基部３０は、硬質樹脂により形成された板状体である。囲繞部４０は、軟質樹脂により形成されており、基部３０の周囲に配置されている。接触部５０は、発泡プラスチックにより形成されたブロック状の緩衝材であり、囲繞部４０に嵌め込むように設けられている。複数の固定部６０は、取付部２０に対して清掃用シートを固定する。
【選択図】図１０【図１】
0006808258.tif 000002
【図２】
0006808258.tif 000003
【図３】
0006808258.tif 000004
【図４】
0006808258.tif 000005
【図５】
0006808258.tif 000006
【図６】
0006808258.tif 000007
【図７】
0006808258.tif 000008
【図８】
0006808258.tif 000009
【図９】
0006808258.tif 000010
【図１０】
0006808258.tif 000011
【図１１】
0006808258.tif 000012
【図１２】
0006808258.tif 000013
【図１３】
0006808258.tif 000014
【図１４】
0006808258.tif 000015
【図１５】
0006808258.tif 000016
【図１６】
0006808258.tif 000017
【図１７】
0006808258.tif 000018
【図１８】
0006808258.tif 000019
【図１９】
0006808258.tif 000020